【手続補正書】
【提出日】令和3年4月5日(2021.4.5)
【手続補正１】
【補正対象書類名】特許請求の範囲
【補正対象項目名】全文
【補正方法】変更
【補正の内容】
【特許請求の範囲】
【請求項１】
１つ又は複数のプロセッサと、
前記１つ又は複数のプロセッサに結合されたメモリと、
を備える、行動評価データの収集及び行動評価データへのアクセスを管理するためのシステムであって、
前記１つ又は複数のプロセッサが前記メモリに格納された複数のモジュールを実行し、前記複数のモジュールが、
グラフィカルユーザインターフェースであって、
調査対象の人物に代わって行動する権限を持つ第１のユーザが、前記グラフィカルユーザインターフェースにおいて、第２のユーザの役割及び第３のユーザの役割を特定し、前記調査対象の人物に関連付けられている行動データ、症状測定データ、及び投薬計画データのうちの１つ又は複数を指定し、前記行動データ及び症状測定データに関する前記第２及び第３のユーザの役割のためのアクセス許可を定義し、測定対象の症状及び行動が前記調査対象の人物の病態に基づいて指定され、
ユーザが、前記グラフィカルユーザインターフェースにおいて、第２のユーザの役割又は第３のユーザの役割のいずれかに従って、前記第１のユーザが指定した前記アクセス許可に少なくとも部分的に基づいて、前記調査対象の人物から観測された行動データ及び症状測定データを提供する、グラフィカルユーザインターフェースと、
前記第２のユーザの役割が、前記行動データ及び症状測定データの第１のサブセットを提供すること及び前記第１のサブセットにアクセスすることに制限されるように、また前記第３のユーザの役割が、前記行動データ及び症状測定データの第２のサブセットを提供すること及び前記第２のサブセットにアクセスすることに制限されるように前記アクセス許可を実施するためのコンピュータ実行可能命令を含む、認証モジュールと、
前記行動データ及び症状測定データの計算分析を実行し、それにより行動評価データを生成するためのコンピュータ実行可能命令を含む、分析モジュールと、
前記第１のユーザが指定した前記定義されたアクセス許可と相反しないやり方で、前記第１のユーザ、第２のユーザ、及び第３のユーザに前記行動評価データを提示するための報告モジュールと、
を含む、システム。
【請求項２】
前記分析モジュールが、前記提供された行動データ及び症状測定データに分類子モデルをさらに適用して、複合プロファイルを作成する、請求項１に記載のシステム。
【請求項３】
前記分類子モデルが、線形／ロジスティック回帰、主成分分析、一般化線形混合モデル、ランダム決定フォレスト、サポートベクターマシン、又は人工ニューラルネットワークのうちの少なくとも１つを含む、請求項２に記載のシステム。
【請求項４】
前記分類子モデルが、（ｉ）前記提供された行動データ及び症状測定データと、（ｉｉ）望ましい治療反応時間を示した人物に関連して収集されたデータと、の間の相関関係を特定する、請求項２に記載のシステム。
【請求項５】
前記相関関係が、効果的な介入、治療の有効性、及び薬物の効能のうちの少なくとも１つを特定する、請求項４に記載のシステム。
【請求項６】
前記分類子モデルが、前記人物の現在治療されていない障害を特定する、請求項２に記載のシステム。
【請求項７】
前記分析モジュールが、前記病態の発症又は進行のうちの少なくとも１つの可能性に関して前記人物を分類するための分類子モデルをさらに適用する、請求項１に記載のシステム。
【請求項８】
前記行動評価データが、治療の過程の処方又は治療の過程の修正をサポートする、請求項１に記載のシステム。
【請求項９】
利用状況分析データを格納し、前記分析モジュールに提供するための利用状況分析データベースをさらに備える、請求項１に記載のシステム。
【請求項１０】
ユーザアカウント及びプロファイルデータを格納し、前記認証モジュールに送信するためのアカウント及びプロファイルデータベースをさらに備える、請求項１に記載のシステム。
【請求項１１】
ユーザの好む選択を格納し前記認証モジュールに送信するための選好データベースをさらに備える、請求項１に記載のシステム。
【請求項１２】
健康情報データを格納し、前記報告モジュールに送信するための健康データベースをさらに備える、請求項１に記載のシステム。
【請求項１３】
前記症状データが、認知プラットフォームとの前記人物の相互作用に基づいて生成された成績指標データを含む、請求項１に記載のシステム。
【請求項１４】
前記行動評価データに少なくとも部分的に基づいて１つ又は複数のコンテンツクエリを生成するように構成されたコンテンツモジュールをさらに含む、請求項１に記載のシステム。
【請求項１５】
前記コンテンツモジュールが、
コンテンツインデックスを含む少なくとも１つのコンテンツライブラリに前記１つ又は複数のコンテンツクエリを提出し、
前記行動評価データ基づいて判定された前記人物の状態との関連性を判定するために、前記少なくとも１つのコンテンツライブラリから受信したコンテンツを分析する
ようにさらに構成される、請求項１３に記載のシステム。
【請求項１６】
行動評価データの収集及び行動評価データへのアクセスを管理するためのコンピュータ実施方法であって、前記方法が、
調査対象の人物に代わって行動する権限を持つ第１のユーザからの命令を受信することであって、前記命令が、第２のユーザの役割及び第３のユーザの役割の特定と、前記調査対象の人物に関連付けられている行動データ及び症状測定データのうちの１つ又は複数の指定と、前記行動データ及び症状測定データに関する前記第２及び第３のユーザの役割のためのアクセス許可の定義と、を含み、測定対象の症状及び行動が前記調査対象の人物の病態に基づいて指定される、ことと、
第２のユーザの役割又は第３のユーザの役割のいずれかに従って、前記第１のユーザが指定した前記アクセス許可に少なくとも部分的に基づいて、前記調査対象の人物から観測された行動データ及び症状測定データをユーザから受信することと、
前記第２のユーザの役割が、前記行動データ及び症状測定データの第１のサブセットを提供すること及び前記第１のサブセットにアクセスすることに制限されるように、また前記第３のユーザの役割が、前記行動データ及び症状測定データの第２のサブセットを提供すること及び前記第２のサブセットにアクセスすることに制限されるように前記アクセス許可を実施することと、
前記行動データ及び症状測定データの計算分析を実行し、それにより行動評価データを生成することと、
前記第１のユーザが指定した前記定義されたアクセス許可と相反しないやり方で、前記第１のユーザ、第２のユーザ、及び第３のユーザに前記行動評価データを提示することと、
を含む動作を実行するためのコンピュータ実行可能命令を含む１つ又は複数のメモリストレージデバイスに格納された命令を実行するために１つ又は複数のプロセッサを使用すること
を含む、方法。
【請求項１７】
前記人物が前記第１のユーザである、請求項１６に記載のコンピュータ実施方法。
【請求項１８】
前記行動データの少なくとも一部が、前記病態に関する診断及び症状基準に基づく行動の測定値を含む、請求項１６に記載のコンピュータ実施方法。
【請求項１９】
前記行動データが、宿題の完了、家事実行の頻度及び質、並びに前記人物に代わって行動する人との付き合いの質のうちの少なくとも１つを含む、請求項１６に記載のコンピュータ実施方法。
【請求項２０】
前記症状測定データの少なくとも一部が、前記病態に関する臨床的に確認された症状リスト上の症状の測定値を含む、請求項１６に記載のコンピュータ実施方法。
【請求項２１】
前記症状測定データが生理学的データを含む、請求項１６に記載のコンピュータ実施方法。
【請求項２２】
前記生理学的データが、電気的活動、心拍数、血流量、及び酸素化レベルのうちの少なくとも１つを含む、請求項２１に記載のコンピュータ実施方法。
【請求項２３】
前記行動評価データが、（ｉ）治療に対する前記人物の反応のペース、（ｉｉ）前記病態の発症の可能性及び／又は進行のステージ、（ｉｉｉ）行動を制御する際の投薬の有効性、並びに（ｉｖ）前記病態の症状に対処する際の投薬の有効性を含む、請求項１６に記載のコンピュータ実施方法。
【請求項２４】
計算分析を実行することが、前記行動データ及び症状測定データに分類子モデルを適用して、複合プロファイルを作成することを含む、請求項１６に記載のコンピュータ実施方法。
【請求項２５】
前記分類子モデルが、線形／ロジスティック回帰、主成分分析、一般化線形混合モデル、ランダム決定フォレスト、サポートベクターマシン、又は人工ニューラルネットワークのうちの少なくとも１つを含む、請求項２４に記載のコンピュータ実施方法。
【請求項２６】
前記分類子モデルが、（ｉ）前記提供された行動データ及び症状測定データと、（ｉｉ）望ましい反応時間を示した人物に関連して収集されたデータと、の間の相関関係を特定する、請求項２４に記載のコンピュータ実施方法。
【請求項２７】
前記相関関係が、効果的な介入、治療の有効性、及び薬物の効能のうちの少なくとも１つを特定する、請求項２４に記載のコンピュータ実施方法。
【請求項２８】
前記分析モジュールが、前記病態の発症又は進行のうちの少なくとも１つの可能性に関して前記人物を分類するための前記分類子モデルを適用することをさらに含む、請求項２４に記載のコンピュータ実施方法。
【請求項２９】
前記分類子モデルが、前記人物の現在治療されていない障害を特定する、請求項２４に記載のコンピュータ実施方法。
【請求項３０】
前記症状データが、認知プラットフォームとの前記人物の相互作用に基づいて生成された成績指標データを含む、請求項１６に記載のコンピュータ実施方法。
【請求項３１】
前記行動評価データに少なくとも部分的に基づいて１つ又は複数のコンテンツクエリを生成するように構成されたコンテンツモジュールをさらに含む、請求項１６に記載のコンピュータ実施方法。
【請求項３２】
前記コンテンツモジュールが、
コンテンツインデックスを含む少なくとも１つのコンテンツライブラリに前記１つ又は複数のコンテンツクエリを提出し、
前記行動評価データ基づいて判定された前記人物の状態との関連性を判定するために、前記少なくとも１つのコンテンツライブラリから受信したコンテンツを分析する
ようにさらに構成される、請求項３１に記載のコンピュータ実施方法。
【請求項３３】
行動評価データの収集及び行動評価データへのアクセスを管理するためのコンピュータ実施方法であって、前記方法が、
調査対象の人物に代わって行動する権限を持つ第１のユーザからの命令を受信することであって、前記命令が、第２のユーザの役割及び第３のユーザの役割の特定と、前記調査対象の人物に関連付けられている行動データ、症状測定データ、及び投薬計画データのうちの１つ又は複数の指定と、前記行動データ及び症状測定データに関する前記第２及び第３のユーザの役割のためのアクセス許可の定義と、を含み、測定対象の症状及び行動が前記調査対象の人物の病態に基づいて指定される、ことと、
第２のユーザの役割又は第３のユーザの役割のいずれかに従って、前記第１のユーザが指定した前記アクセス許可に少なくとも部分的に基づいて、前記調査対象の人物から観測された行動データ及び症状測定データをユーザから受信することと、
前記第２のユーザの役割が、前記行動データ及び症状測定データの第１のサブセットを提供すること及び前記第１のサブセットにアクセスすることに制限されるように、また前記第３のユーザの役割が、前記行動データ及び症状測定データの第２のサブセットを提供すること及び前記第２のサブセットにアクセスすることに制限されるように前記アクセス許可を実施することと、
前記行動データ及び症状測定データの計算分析を実行し、それにより行動評価データを生成することと、
前記第１のユーザが指定した前記定義されたアクセス許可と相反しないやり方で、前記第１のユーザ、第２のユーザ、及び第３のユーザに前記行動評価データを提示することと、
を含む、動作であって、
前記病態が、神経心理学的病態、神経変性病態、又は実行機能障害からなる群から選択される、動作を実行するためのコンピュータ実行可能命令を含む１つ又は複数のメモリストレージデバイスに格納された命令を実行するために１つ又は複数のプロセッサを使用すること
を含む、方法。
【請求項３４】
１つ又は複数のプロセッサと、
前記１つ又は複数のプロセッサと接続されたメモリと、
を備える、行動評価データの収集及び行動評価データへのアクセスを管理するためのシステムであって、
前記１つ又は複数のプロセッサが前記メモリに格納された複数のモジュールを実行し、前記複数のモジュールが、
グラフィカルユーザインターフェースであって、
調査対象の人物に代わって行動する権限を持つ第１のユーザが、前記グラフィカルユーザインターフェースにおいて、第２のユーザの役割及び第３のユーザの役割を特定し、前記調査対象の人物に関連付けられている行動データ及び症状測定データのうちの１つ又は複数を指定し、前記行動データ及び症状測定データに関する前記第２及び第３のユーザの役割のためのアクセス許可を定義し、測定対象の症状及び行動が前記調査対象の人物の病態に基づいて指定され、
ユーザが、前記グラフィカルユーザインターフェースにおいて、第２のユーザの役割又は第３のユーザの役割のいずれかに従って、前記第１のユーザが指定した前記アクセス許可に少なくとも部分的に基づいて、前記調査対象の人物から観測された行動データ及び症状測定データを提供する、グラフィカルユーザインターフェースと、
前記第２のユーザの役割が、前記行動データ及び症状測定データの第１のサブセットを提供すること及び前記第１のサブセットにアクセスすることに制限されるように、また前記第３のユーザの役割が、前記行動データ及び症状測定データの第２のサブセットを提供すること及び前記第２のサブセットにアクセスすることに制限されるように前記アクセス許可を実施するためのコンピュータ実行可能命令を含む、認証モジュールと、
前記行動データ及び症状測定データの計算分析を実行し、それにより行動評価データを生成するためのコンピュータ実行可能命令を含む、分析モジュールと、
前記第１のユーザが指定した前記定義されたアクセス許可と相反しないやり方で、前記第１のユーザ、第２のユーザ、及び第３のユーザに前記行動評価データを提示するための報告モジュールと、
を含み、
前記病態が、神経心理学的病態、神経変性病態、又は実行機能障害からなる群から選択される、システム。
【請求項３５】
前記病態が、認知症、パーキンソン病、脳アミロイド血管障害、家族性アミロイドニューロパチー、ハンチントン病、自閉症スペクトラム障害（ＡＳＤ）、１６ｐ１１．２重複の存在、注意欠陥多動性障害（ＡＤＨＤ）、知覚処理障害（ＳＰＤ）、軽度認知障害（ＭＣＩ）、アルツハイマー病、多発性硬化症、統合失調症、大鬱病性障害（ＭＤＤ）、又は不安症からなる群から選択される、請求項３４に記載のシステム。